(57)【要約】【課題】  カタログ作成工程の高効率化と精度向上、及びコストを削減するカタログ作成支援装置を提供する。【解決手段】  商品カタログ作成工程において、カタログに掲載する順に商品名を並べた商品リストを作成する。商品リストは、商品ごとに商品名、カテゴリ名、参考掲載サイズの情報を有する。コンピュータは、カタログ作成の条件（全ページ数、カテゴリ別のページ数等）と、商品リストを基に、カタログのページのコマ割出力データ３７を算出し出力する。コマ割は、カテゴリ毎に占有ページ数と掲載商品数の関係から、乱数を用いて自動的に算出される。【選択図】  図９
2005165718.tif 000002
【特許請求の範囲】
【請求項１】
商品リストと、コマ割出力データと、商品情報データとを記憶する記憶手段と、
カタログ作成指定情報と、前記商品リストを基に、前記コマ割出力データを算出する算出手段と、
前記コマ割出力データを表示する表示手段と、
前記コマ割出力データに、前記商品情報データを配置するデータ配置手段と、
を、具備することを特徴とするカタログ作成支援装置。
【請求項２】
前記算出手段は、前記カタログ作成指定情報と、全商品リスト又は指定された範囲の前記商品リストを基に、乱数を用いて前記コマ割出力データを算出することを特徴とする請求項１記載のカタログ作成支援装置。
【請求項３】
前記商品リストは、商品の掲載順に並べられ、商品のカテゴリ、掲載サイズの情報等を有することを特徴とする請求項１記載のカタログ作成支援装置。
【請求項４】
前記カタログ作成指定情報は、カタログ占有ページ数、カタログ内のカテゴリごとの占有ページ数、特殊なコマ割情報等であることを特徴とする請求項１記載のカタログ支援装置。
【請求項５】
商品リストと、コマ割出力データと、商品情報データとを記憶する記憶工程と、
カタログ作成指定情報と、前記商品リストを基に、前記コマ割出力データを算出する算出工程と、
前記コマ割出力データを表示する表示工程と、
前記コマ割出力データに、前記商品情報データを配置するデータ配置工程と、
前記コマ割出力データを基に、印刷データ作成プログラム用のデータを算出する工程と、
を、具備することを特徴とするカタログ作成支援方法。
【請求項６】
コンピュータを、請求項１から請求項４記載のいずれかのカタログ支援装置として機能させるためのプログラム。
【請求項７】
コンピュータを、請求項１から請求項４記載のいずれかのカタログ支援装置として機能させるためのプログラムを記録した記録媒体。
【発明の詳細な説明】
【技術分野】
【０００１】
本発明は、書籍等のカタログのページコマ割原案を作成し、カタログ作成を円滑に行うためのカタログ作成支援装置及び方法に関するものである。
【背景技術】
【０００２】
出版社等が書籍等のカタログを作成する際、まず印刷事業者に対し、カタログに掲載する順に書籍のリストを提供する場合がある。印刷事業者は、手作業で指定されたページ数、及び書籍毎に指定されたコマのサイズでカタログに掲載する書籍のレイアウト案を作成する。出版社がレイアウト案に基づいて、広告欄の作成やコマ割の最適化を行い最終的なカタログのレイアウトを作成し、印刷事業者に戻す。印刷事業者は、この最終レイアウトに基づいてカタログの印刷を行う。
【０００３】
尚、ネットワークを利用した印刷物作成に関する特許として、特許文献１がある。また、部品名と部品形状との印刷レイアウトを最適化する部品表作成システムとして、特許文献２がある。
【特許文献１】特開平１１−０９１１８９号公報
【特許文献２】特開平０８−０６３５０６号公報
【発明の開示】
【発明が解決しようとする課題】
【０００４】
従来のカタログ作成の手順は、印刷事業者により作成されたカタログレイアウト案に対し、カタログ出版事業者は、そのレイアウト案に対して更に修正や追加の指示を行い、再度印刷事業者に戻すという効率の悪い作業を行っていた。
【０００５】
また、出版社及び印刷事業者は、手作業でカタログ紙面のレイアウトを行っていたので、作業時間がかかり、カタログレイアウトを変更する時も手作業で行うので、作業効率が悪く、作業ミスを招く誘引ともなっていた。また、印刷事業者が印刷用データを制作する際にも、作業ミスを招く誘引ともなっていた。
【０００６】
また、カタログ掲載品目の修正、追加作業の度に発生するカタログレイアウト変更に手間や時間がかかり、ひいてはカタログ作成のコスト高を招いていた。
【０００７】
本発明で、解決しようとする問題点は、カタログ作成工程の作業効率である。
【０００８】
本発明は、このような問題を鑑みてなされたもので、その目的とするところは、カタログ作成工程の高効率化と精度向上、及びコストを削減するカタログ作成支援装置を提供することである。
【課題を解決するための手段】
【０００９】
前述した目的を達成するための第１の発明は、商品リストと、コマ割出力データと、商品情報データとを記憶する記憶手段と、カタログ作成指定情報と、前記商品リストを基に、前記コマ割出力データを算出する算出手段と、前記コマ割出力データを表示する表示手段と、前記コマ割出力データに、前記商品情報データを配置するデータ配置手段とを、具備することを特徴とするカタログ作成支援装置である。
【００１０】
前記算出手段は、前記カタログ作成指定情報と、全商品リスト又は指定された範囲の前記商品リストを基に、乱数を用いて前記コマ割出力データを算出する。即ち、指定ページ数に対し、指定コマ数を入れる条件の計算を、乱数を用いて算出している。
【００１１】
前記商品リストは、商品の掲載順に並べられ、商品のカテゴリ、参考掲載サイズの情報を有する。
【００１２】
前記カタログ作成指定情報は、カタログ占有ページ数、カタログ内のカテゴリが切り換わる際の改ページ規則、カタログ内のカテゴリごとの占有ページ数、特殊なコマ割情報等である。特殊なコマ割情報は、例えば、広告欄やコラム欄を挿入する場合にそれらの位置やコマのサイズが指定される。
【００１３】
第１の発明によるカタログ支援装置は、カタログ作成指定情報と、商品リストを基に、コマ割出力データを算出する。また、コマ割出力データの表示や商品情報データの配置を行うことにより、カタログ作成のコマ割の検討を支援する。
【００１４】
第２の発明は、商品リストと、コマ割出力データと、商品情報データとを記憶する記憶工程と、カタログ作成指定情報と、前記商品リストを基に、前記コマ割出力データを算出する算出工程と、前記コマ割出力データを表示する表示工程と、前記コマ割出力データに、前記商品情報データを配置するデータ配置工程と、前記コマ割出力データを基に、印刷データ作成プログラム用のデータを算出する工程とを、具備することを特徴とするカタログ作成支援方法である。
【００１５】
第２の発明によるカタログ支援方法は、カタログ作成指定情報と、商品リストを基に、コマ割出力データを算出する。また、コマ割出力データの表示や商品情報データの配置を行うことにより、カタログ作成のコマ割の検討を支援する。また、コマ割出力データを基に印刷データ作成プログラム用のデータを算出する。
【００１６】
第３の発明は、コンピュータを、請求項１から請求項４記載のいずれかのカタログ支援装置として機能させるためのプログラムである。
【００１７】
第３の発明のプログラムは、コンピュータを、請求項１又は請求項４記載のいずれかのカタログ支援装置として機能させるためのものであり、このプログラムをネットワークを介して流通させることもできる。
【００１８】
第４の発明は、コンピュータを、請求項１から請求項４記載のいずれかのカタログ支援装置として機能させるためのプログラムを記録した記録媒体である。
【００１９】
第４の発明の記録媒体は、コンピュータを、請求項１又は請求項４記載のいずれかのカタログ支援装置として機能させるためのプログラムを記憶しており、この記録媒体を流通させることもでき、またこのプログラムをネットワークを介して流通させることもできる。
【発明の効果】
【００２０】
本発明によれば、カタログ作成工程の高効率化と精度向上、及びコストを削減するカタログ作成支援装置を提供することができる。
【発明を実施するための最良の形態】
【００２１】
以下に、図面に基づいて本発明の実施の形態を詳細に説明する。図１は、本実施の形態の係るカタログ作成支援装置のハードウェア構成を示す図である。また、図２は図１におけるコンピュータ５、１３の構成、図３は図１における外部記憶装置７、１５の構成を示す。
【００２２】
（１．構成）
（１−１．カタログ作成支援装置の構成）
出版事業者１１が、例えば複数の書籍を紹介するためのカタログを作成すると想定する。掲載する各書籍の情報（タイトル、内容、表紙の写真等）をどのように紙面にレイアウトするかを、本実施の形態によるカタログ作成支援装置にて検討する。印刷事業者３は、出版事業者１１が決定したレイアウトでカタログを印刷するものとする。
【００２３】
出版事業者１１は、コンピュータ１３と外部記憶装置１５等を備える。印刷事業者３は、コンピュータ５と外部記憶装置７と印刷装置９等を備える。尚、出版事業者１１のコンピュータ１３と、印刷事業者３のコンピュータ５は通信手段１７で接続される。通信手段１７は、データやプログラムをやりとりするものであれば、インターネットやイントラネット等のネット−ワークでも良いし、或いは記録メディアを介したオフラインのものでもよい。
【００２４】
本実施の形態のカタログ作成支援方法は、出版事業者１１のコンピュータ１３又は印刷事業者３のコンピュータ５、いずれに於いて実行しても良い。ここでは、主に出版事業者１１のコンピュータ１３で本実施の形態のカタログ作成支援方法を実行するものとして説明する。
【００２５】
図２は、印刷事業者３のコンピュータ５、及び出版事業者１１のコンピュータ１３の構成を示す。コンピュータ５、１３は、中央処理装置である制御部１９、メディア（ＣＤ−ＲＯＭ、フレキシブルディスク、記録用カード等の記録媒体等）入出力部２１、モデム等の通信部２３、キーボードやマウス等の入力部２５、プリンタ等の印刷部２７、ＣＲＴや液晶ディスプレイ等の表示部２９、ハードディスク等の記憶部３１からなり、それぞれバス３３で接続されている。
【００２６】
尚、本実施の形態のカタログ作成支援方法を実現するためのプログラムは、ハードディスク等の記憶部３１に記憶されていても良いし、他の記憶媒体に記録されていても良い。
【００２７】
次に、図３は、印刷事業者３の外部記憶装置７、及び出版事業者１１の外部記憶装置１５の構成を示す。なお、ここでは本実施の形態に係るデータの部分を外部の記憶装置に記憶するものとしているが、図２に示すコンピュータの記憶部３１に記憶するようにしても良い。
【００２８】
外部記憶装置７、１５は、商品リスト３５、コマ割出力データ３７、テンプレート３９、テキストデータ４１、画像データ４３等を記憶する。商品リスト３５とは、作成するカタログに掲載する商品のリストであり、図７に示す。本実施の形態では、商品として「書籍」を例として説明するが、商品は書籍に限らず電気製品、家庭雑貨、衣料等、ジャンルを問わない。商品リスト３５は、カタログに掲載する順に表示する。商品リスト３５の詳細については後述する。
【００２９】
次に、コマ割出力データ３７は、商品リスト３５の商品を、条件に従ってコマ割して配置した出力結果であり、図９に示す。コンピュータ１３の制御部１９は、このコマ割出力データ３７を表示部２９などに表示させる。操作者は表示されるコマ割出力データ３７を見てコマ割の検討を行う。コマ割の方法の詳細については後述する。
【００３０】
テンプレート３９、テキストデータ４１、画像データ４３のデータについては後で説明する。
【００３１】
（１−２．カタログのページレイアウト４５の構成）
図４は、作成するカタログのページレイアウト４５の一例を示す。図４に示すページは、１ページを大きく３コマに分割し、１コマに１冊分（１商品分）、即ち１ページに３冊の書籍の情報を掲載する例である。
【００３２】
図５は、一例として、１ページを３コマに分割する場合の１／３テンプレート４７を示す。テンプレートは、１つのコマにレイアウトする文字や画像の位置関係を指定するものであり、図３のテンプレート３９には、コマサイズや文字・画像の位置関係が異なる、複数のテンプレートデータが記憶されている。
【００３３】
例えば図５の１／３テンプレート４７には、サブタイトル４９、タイトル５１、画像５９、内容５３、商品番号５５、価格５７等の位置関係が指定される。サブタイトル４９、タイトル５１、内容５３、商品番号５５、価格５７等のテキストを挿入する位置には、図３に示すテキストデータ４１から該当するテキストが読み出され、図４のように表示される。同様に、画像５９の位置には、図３に示す画像データ４３の中から該当する画像データが読み出され、図４のように画像が表示される。
【００３４】
本実施の形態では、各商品についてコマ割りの大きさがそれぞれ最初から確定している訳ではないので、例えばコマ割が１／２コマの大きさを予定していたものが、１／３コマになっても対応できるように、同一商品について複数のテキストデータ４１や画像５９を保存する場合もある。
【００３５】
（１−３．コマ割の構成）
図６は、１ページ内に掲載する商品のコマ割の構成を示す。本実施の形態では、基本的には基本コマ割６１−１〜６１−５に示すように、１／１コマ、１／２コマ、１／３コマ、１／４コマ、１／６コマのコマ割サイズで、ページを構成する。
【００３６】
コマ割の構成は、基本コマ割６１−１〜６１−５のように、基本のコマ割だけで行っても良いし、複合コマ割６３−１〜６３−４に示すように、基本コマ割を組み合わせても良い。ただし、コマサイズは後になるほど小さいサイズになるように組み合わせる。例えば複合コマ割６３−１で説明すると、１／２コマサイズが１／４コマサイズの上部に配置されている。逆に、１／４コマサイズの２つが、１／２コマサイズの上部に配置されることはない。
【００３７】
（１−４．商品リスト３５の構成）
図７に商品リスト３５の例を示す。商品リスト３５は、カタログに掲載する商品を、掲載順にリスト化したものである。商品リスト３５は、書籍名である商品名６７、書籍のカテゴリ名（大カテゴリ６９、中カテゴリ７１、小カテゴリ７３
に分けて表示）、商品の掲載サイズ７５からなる。掲載サイズ７５は、例えば「掲載サイズ２」は、１／２コマサイズで掲載することを示す。尚、掲載サイズ７５は、出版事業者１１が希望する掲載サイズの目安であり、確定ではない。
【００３８】
即ち、本実施の形態のカタログ作成支援方法を行うことにより、商品リスト３５に載せた掲載サイズ７５とは異なるコマサイズになる場合がある。
【００３９】
図７の商品リスト３５において、書籍７７−１〜７７−７は、大カテゴリ６９が「プログラムＡ関連」の書籍である。書籍７９−１〜７９−１２は、大カテゴリ６９が「応用Ｂ関連」の書籍である。書籍８１−１〜８１−７は、大カテゴリ６９が「資格・教材関連」の書籍である。同様に、カテゴリは中カテゴリ７１、小カテゴリ７３に分けられる。
【００４０】
（２．カタログ作成支援方法の手順）
次に、図８に従い、本実施の形態の手順について説明する。ここでは、出版事業者１１が、商品リスト３５（図７に示す）に示される書籍の書籍カタログを作成するものとする。印刷用データの制作、及び印刷は印刷事業者３において行う。
【００４１】
まず、印刷事業者３が出版事業者１１からカタログ作成依頼を受けると、前回（例えば前年度）作成したカタログを参照して、コンピュータ５の制御部１９が、商品掲載順に商品名、大中小の各カテゴリ名、掲載サイズの商品リストを作成する（ステップ１００１）。
【００４２】
印刷事業者３のコンピュータ５は、通信手段１７を介して前回の商品リストを出版事業者１１のコンピュータ１３に送る。通信手段１７はインターネット等のネットワークであっても良いし、記憶メディアを介して出版事業者１１のコンピュータ１３に引き渡しても良い。
【００４３】
出版事業者１１の作業者は、印刷事業者３から得た商品リストをチェックし、掲載する商品の追加や削除を行う。また、追加する商品は、カタログ掲載順になるような位置に挿入し、コンピュータ１３の制御部１９が商品リスト３５を更新し（ステップ１００３）、更新した商品リスト３５は外部記憶装置１５に記憶する。尚、出版事業者１１が初めてカタログを作成する場合には、コンピュータ１３の制御部１９はステップ１００１、１００２を省略し、初めから商品リスト３５の作成を行う。
【００４４】
また、新しく追加した商品については、その商品に関するテキストデータ４１や画像データ４３も新たに追加して外部記憶装置７に保存する。
【００４５】
出版事業者１１の作業者は、さらにコマ割の条件を入力又は指定する（ステップ１００４）。コマ割の条件とは、例えばここでは以下のようなものとする。
・条件１：コマのサイズは、１／２、１／３、１／４、１／６ページの何れかとする。
・条件２：コマのサイズは同じカテゴリ内では掲載順に小さくする。
・条件３：大カテゴリは、右ページに起こしの扉を付けた上で改ページを行う。
・条件４：中カテゴリの前で改ページを行う。
・条件５：小カテゴリの前ではなるべく改ページ行う。
・条件６：カタログ全ページ数  ○○ページに収める。
・条件７：大カテゴリ「プログラムＡ関連」７冊分を３ページに収める。大カテゴリ「応用Ｂ関連」１２冊分を３ページに収める。・・・・
・条件８：コラム、広告等、例外的なコマの位置及びサイズの指定。
【００４６】
コンピュータ１３の制御部１９は、新商品リスト３５及び、指定されたコマ割の条件を基に、カタログのコマ割を行う（ステップ１００５）。コマ割出力データ３７を図９に示す。
【００４７】
図９を参照すると、条件３により、大カテゴリ６９は右ページになるように配置され（即ち大カテゴリ６９は奇数ページにレイアウトされる）、大カテゴリ名が１ページを占有する。図９では、１ページ、５ページ、９ページが大カテゴリの起こしの扉である。
【００４８】
また、コマ割は、基本的には図７に示す商品リスト３５に指示されているそれぞれの商品の掲載サイズ７５に準拠する。ただし、掲載サイズ７５は絶対ではなく、コマ割の条件によっては希望掲載サイズよりも異なる場合がある。
【００４９】
例えば、条件７で指定された大カテゴリ別の占有ページのうち、
・大カテゴリ「応用Ｂ関連」１２冊分を３ページに収める。
という条件に沿って、コマ割の過程を説明する。
【００５０】
大カテゴリ「応用Ｂ関連」１２冊は、図７の商品リスト３５のうち、７９−１〜７９−１２で示される。それぞれの掲載サイズ７５をそのまま合計すると、図１０の条件８７に示すように、（２＋３／４）ページを使用することになる。本実施の形態では、「応用Ｂ関連」１２冊を３ページに収める（条件７）ように、コマ割を行う。
【００５１】
コマ割の手法として、周知の方法である「ある種の制約条件をみたすランダム点」を求める方法を用いる。
【００５２】
ランダム点を求める方法を以下に説明する。
制約条件として、
ｌ１＋ｌ２＋・・・＋ｌＮ＝Ｍ        ……（１）
ただし、ｌｉ（ｉ＝１，２，・・Ｎ）は非負の整数、ＮとＭは正の整数
を満たすランダム点（ｌ１，ｌ２，・・・，ｌＮ）を次のように定義する。
【００５３】
定義：式（１）を満足するＮ次元空間の異なる点（ｌ１，ｌ２，・・・，ｌＮ）の総数は、（Ｎ＋Ｍ−１）個からＭ個を取り出す組み合わせの数に等しい。この点の中から、等確率で抽出した点を式（１）を満たすランダム点と呼ぶ。
【００５４】
（Ｎ＋Ｍ−１）個からＭ個を取り出す組み合わせの数は、（Ｎ＋Ｍ−１）個から（Ｎ−１）個を取り出す組み合わせの数に等しいので、１から（Ｎ＋Ｍ−１）までの整数から（Ｎ−１）個を非復元抽出法でランダムに取り出したものを、
ｍ１，ｍ２，・・・，ｍＮ−１
とする。
【００５５】
次に、これらを、大きさの順に並べ替える。
ｍ（１）＜ｍ（２）＜・・・＜ｍ（Ｎ−１）
【００５６】
次に、変換式
ｌｉ＝ｍ（ｉ）−ｍ（ｉ−１）−１        ……（２）
ただし、ｉ＝１，２，・・Ｎ
ｍ（０）＝０、ｍ（Ｎ）＝Ｍ＋Ｎ
を用いて、式（１）を満たす１つのランダム点（ｌ１，ｌ２，・・・，ｌＮ）を求める。
【００５７】
条件７にもどり、大カテゴリ「応用Ｂ関連」１２冊を３ページに収める場合、式（１）でＭ＝３、Ｎ＝１２として、１ページに収めるコマ割の数を求める。尚、本実施の形態では、コマ割の数ｌ１，ｌ２，・・・，ｌＮが、ｌ１≦ｌ２≦・・≦ｌＮ  となる条件を加えて算出する。
【００５８】
図１０に示すように、コマ割Ａ８９として、（２コマ、４コマ、６コマ）が算出され、全体としては図９に示すコマ割出力データ３７が得られたとする。
【００５９】
作業者が、他のパターンのコマ割を検討したい場合（ステップ１００６のＮＯ）、作業者が商品リスト３５から検討したい範囲の商品（例えば大カテゴリ「応用Ｂ関連」１２冊）を選択して絞込むと、コンピュータ１３の制御部１９は再度コマ割を行う（ステップ１００７）。
【００６０】
即ちコンピュータ１３の制御部１９は、再度ランダム点を求める手法を用いてコマ割を行い、例えば次にコマ割Ｂ９１（図１０に示す）として、（３コマ、４コマ、５コマ）を得る。コマ割がＯＫであれば（ステップ１００６のＹＥＳ）、作業者はコマ割出力データ３７を表示して、さらに細かい修正等を行う（ステップ１００８）。
【００６１】
尚、例えば、コマ割として「３コマ」が算出された場合、図６に示す、コマ割６１−３、６３−１のいずれかを選択するようにしても良い。同様に「４コマ」の場合は、コマ割６１−４、６３−３の選択、「５コマ」の場合は、コマ割６３−２、６３−４の選択がなされる。
【００６２】
また、作業者は、コマ割出力データ３７からページを指定し、図４のようにテンプレート３９にテキストデータ４１と画像データ４３を読み込んでページレイアウト４５を確認するようにしてもよい。
【００６３】
次に、出版事業者１１のコンピュータ１３は、修正済みのコマ割出力データ３７と、新たに追加した商品のデータ（テキストデータ４１、画像データ４３等）、その他更新されたデータ等を、印刷事業者３のコンピュータ５に送る（ステップ１００９）。印刷事業者３のコンピュータ５は、これらのデータを外部記憶装置７に登録する。
【００６４】
印刷事業者３では、カタログ作成用のコマ割出力データ３７及び他の必要なデータ（テンプレート３９、テキストデータ４１、画像データ４３等）をコンピュータ５から印刷装置９に送り、印刷用データに変換したのち、カタログ印刷を行い製版してカタログを作成する（ステップ１０１０）。
【００６５】
尚、例えば小さな修正や追加等を行う場合には、コマ割作業（図８のステップ１００５からステップ１００６）等は、印刷事業者３のコンピュータ５が行い、それを出版事業者１１の元で確認するという形式であっても良い。
【００６６】
即ち、本実施の形態は、出版事業者１１のコンピュータ１３、及び印刷事業者３のコンピュータ５のいずれか一方で動作するものであってもよいが、両者で同じように動作するような環境であることが望ましい。従って、出版事業者１１と印刷事業者３は、コンピュータ７、１３、外部記憶装置７、１５ともに同様の環境を有するものとして説明した。
【００６７】
コラムや、広告欄のコマ割については説明していないが、コマ割の条件として、ある指定ページの指定された位置に、コラムや広告を入れたい場合は、コマ割出力データ３７の表示画面上で位置を指定しても良いし、商品リスト３５の中の商品の1つとしてコラムや広告を入れるようにしても良い。
【００６８】
（３．効果等）
このように、本実施の形態では、出版事業者１１の元で、カタログ作成のためのデータを作成できるので、カタログ作成の作業効率を高めることができ、決められたカタログ発行日に対し、より直前まで掲載商品の試行錯誤を行うことができる。また、出版事業者１１と印刷事業者３との間に起こる作業指示漏れや作業ミスなどを大幅に低減することができる。
【００６９】
また、本実施の形態では、カタログ作成前のプレビューを行うことができるので、作成者のイメージに合致した、品質の高いカタログを作成することができる。
【００７０】
また、コマ割を行う際、従来のように作業者が手作業で行うのではなく、占有ページ数と商品数の関係を、乱数（ランダム点を求める手法）を用いて自動的に算出するので、商品を削除、或いは追加する時の作業が、従来に比較すると格段に効率的になる。また、追加修正作業のミスを防ぐ効果がある。
【００７１】
本発明は、書籍等のカタログ作成に限らず、あらゆる商品のカタログ作成の支援に応用することができる。
【００７２】
尚、本発明の技術的範囲は、前述した実施の形態に限られるものではない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００７３】
【図１】カタログ作成支援方法を実現するハードウェア構成を示す図
【図２】コンピュータ５、１３の構成を示す図
【図３】外部記憶装置７、１５を示す図
【図４】ページレイアウト４５を示す図
【図５】テンプレート４７を示す図
【図６】コマ割を示す図
【図７】商品リスト３５を示す図
【図８】カタログ作成支援方法のフローチャート
【図９】コマ割出力データ３７を示す図
【図１０】コマ割を示す図
【符号の説明】
【００７４】
３………印刷事業者
５、１３………コンピュータ
７、１５………外部記憶装置
９………印刷装置
１１………出版事業者
１７………通信手段
１９………制御部
２１………メディア入出力部
２３………通信部
２５………入力部
２７………印刷部
２９………表示部
３１………記憶部
３３………バス
３５………商品リスト
３７………コマ割出力データ
３９………テンプレート
４１………テキストデータ
４３………画像データ
４５………ページレイアウト
４７………１／３テンプレート
４９………サブタイトル
５１………タイトル
５３………内容
５５………商品番号
５７………価格
５９………画像
６１−１、６１−２、６１−３、６１−４、６１−５………基本コマ割
６３−１、６３−２、６３−３、６３−４………複合コマ割
６７………商品名
６９………大カテゴリ
７１………中カテゴリ
７３………小カテゴリ
７５………掲載サイズ
７７−１〜７７−７、７９−１〜７９−１２、８１−１〜８１−７………商品
８３………扉
８５………ページ
８７………条件
８９、９１………コマ割
【図１】
2005165718.tif 000003
【図２】
2005165718.tif 000004
【図３】
2005165718.tif 000005
【図４】
2005165718.tif 000006
【図５】
2005165718.tif 000007
【図６】
2005165718.tif 000008
【図７】
2005165718.tif 000009
【図８】
2005165718.tif 000010
【図９】
2005165718.tif 000011
【図１０】
2005165718.tif 000012